(57)【要約】【課題】本発明は、アンバランス振動が少なく、洗浄が良好なるドラム式洗濯機を提供することや、ドラム内の洗濯物の投入や取り出しが容易に出来ることを目的とする。【解決手段】本発明は、回転軸心が傾斜し、かつ投入口が斜め上を向く有底円筒形の洗たくドラムを有するドラム式洗濯機において、洗たくドラムの投入口側である前端側の外径Ｄが後端側の外径ｄよりも大径であることを特徴とする。【選択図】図１
2007111431.tif 000002
【特許請求の範囲】
【請求項１】
回転軸心が傾斜し、かつ投入口が斜め上を向く有底円筒形の洗たくドラムを有するドラム式洗濯機において、
前記洗たくドラムは、投入口側である前端側の外径Ｄを後端側の外径ｄよりも大径にしたことを特徴とするドラム式洗濯機。
【請求項２】
請求項１記載のドラム式洗濯機において、
前記回転軸心の傾斜角度θが（５〜３０）度程度であることを特徴とするドラム式洗濯機。
【請求項３】
請求項１記載のドラム式洗濯機において、
前記洗たくドラムの円筒部は、下側のところではほぼ水平になることを特徴とするドラム式洗濯機。
【請求項４】
請求項１記載のドラム式洗濯機において、
前記洗たくドラムの円筒部には、前記回転軸心の方向に沿うように延在し、かつ内側に突出する複数のリフターを設けたことを特徴とするドラム式洗濯機。
【請求項５】
請求項４記載のドラム式洗濯機において、
前記リフターは、長手方向にわたってほぼ同じ高さを有することを特徴とするドラム式洗濯機。
【発明の詳細な説明】
【技術分野】
【０００１】
本発明は、回転軸心が傾斜する洗たくドラムを有するドラム式洗濯機に関するものである。
【背景技術】
【０００２】
ドラム式洗濯機は、例えば、特許文献１に示されるように、回転軸心が傾斜し、かつ投入口が斜め上を向く有底円筒形の洗たくドラムを有する。投入口が斜め上を向くので、洗たく物の出し入れがし易い。
【０００３】
【特許文献１】特開２００５−１５２３０９号公報
【発明の開示】
【発明が解決しようとする課題】
【０００４】
回転軸心が傾斜する洗たくドラムを有するドラム式洗濯機は、洗たく物の出し入れがし易い。その反面、回転軸心が水平なドラム式洗濯機に比べ、洗濯物が絡みやすく、洗浄が劣り、また洗濯物がドラムの開口部の反対側の奥の方へ片寄りやすくなり、脱水時にドラムが高速回転する場合アンバランス振動が生じ易く、アンバランス振動の対応が難しい等の問題がある。
【０００５】
本発明は、上記の問題に対処し、アンバランス振動が少なく、洗浄が良好なるドラム式洗濯機を提供することを目的とする。
【課題を解決するための手段】
【０００６】
本発明は、回転軸心が傾斜し、かつ投入口が斜め上を向く有底円筒形の洗たくドラムを有するドラム式洗濯機において、洗たくドラムの投入口側である前端側の外径Ｄが後端側の外径ｄよりも大径であることを特徴とする。
【０００７】
また、前記洗たくドラムの円筒部には、前記回転軸心の方向に沿うように延在し、かつ内側に突出する複数のリフターが、水平になるようなＤ／ｄの径とした傾斜を設けたことを特徴とするドラム式洗濯機。
【発明の効果】
【０００８】
本発明によれば、アンバランス振動が少なく、洗浄が良好なるドラム式洗濯機を提供することができる。
【発明を実施するための最良の形態】
【０００９】
本発明の実施例について、図面を引用して説明する。
【００１０】
図１に示すように、ドラム式洗濯機は、外枠１の内側に外槽２が置かれる。外槽２は、複数個のサスペンション３により下方から支持され、外槽２の上部が引きバネ４により吊り下げ支持される。
【００１１】
サスペンション３は、外槽２を含む全重量を支持するものであり、強固な弾性支持構成を有する。特に脱水運転時に生じる外槽２の強い上下振動を吸収したり、脱水起動時に発生する外槽２の異常振動を防止するための減衰機構などが設けられている。
【００１２】
また、外槽２の上部から吊り下げ支持する引きバネ４は、外槽２の倒れ防止を兼ねた支持や脱水時の上下・左右振動を低減するために設けられている。
【００１３】
外枠１の上側内部には、給水電磁弁６、洗剤投入ケース８が設けられる。給水電磁弁６、洗剤投入ケース８は、注水ホース７により連通接続される。給水電磁弁６には、給水ホース５が接続される。給水ホース５の先端は水道の蛇口に接続される。
【００１４】
洗たくやすすぎ時には、給水電磁弁６が開放操作され、注水ホース７から洗剤投入ケース８に洗たくやすすぎに必要な水が供給される。
【００１５】
洗剤投入ケース８には、洗たくに必要な洗剤が投入される。また、すすぎ時に、洗濯物９の仕上がりを良くするための柔軟仕上げ剤が投入されている。
【００１６】
洗濯時に、注水ホース７から供給された水により、洗剤投入ケース８内で洗剤が溶かされながらフレキシブルホース１０を流れて外槽２の上部から内部に投入される。
【００１７】
洗たくドラム１１は、外槽２に内置される。投入口が設けられた有底円筒形を有する洗たくドラム１１は、投入口が斜め上向きになるように回転軸心を傾斜させて置かれる。
【００１８】
回転軸心は、水平線に対する傾き角度θを１５度にとっている。ドラム１１の傾斜は、１５度程度が望ましいが、（５〜３０）度程度の範囲内で傾き角度θを選択できる。
【００１９】
外槽２は、洗たくドラム１１と同じように投入口が設けられた有底円筒形を有し、投入口が斜め上向きになるように中心線を傾斜させて置かれる。外槽２の中心線は、洗たくドラム１１の回転軸心と同心上に置かれ、かつ同じ傾斜角度にする。
【００２０】
洗たくドラム１１は、投入口側である前端側の外径Ｄを後端側の外径ｄよりも大径にしている。このため、洗たくドラムの円筒部は下側のところではほぼ水平になる。
【００２１】
外枠１は、投入口１aを有する。外枠１の投入口１aは、洗たくドラム１１、および外槽２の投入口と同じ向きに揃えて設けられ、開閉自在なる外蓋１２が備わる。洗濯物の出し入れは、外蓋１２を開けてする。
【００２２】
ベローズ２１は、外枠１の投入口１aの口縁部と、外槽２の投入口の内縁部に水密的に取り付けられ、外枠１と外槽２の間の水密を弾性体で出来ているベローズ２１により保つ。このため、外蓋１２は、内側がベローズ２１に密着するので、外枠１の投入口１aから外部への漏水は生じない。
【００２３】
洗たくドラム１１は、投入口の外周にバランサー１３を有する。このバランサー１３により、脱水時の振動が低減される。また、洗たくドラム１１は、円筒部に複数の脱水穴１４を有する。脱水時に、洗濯物９に含まれている水分が脱水穴１４により遠心力で外槽２内に脱水される。
【００２４】
洗たくドラム１１の円筒部には、複数（３本）のリフター１６が設けられる。このリフター１６は、回転軸心の方向に沿って延在する。リフター１６の高さは、長手方向にわたってほぼ同じ高さである。複数（３本）のリフター１６は、３本の場合１２０度の等間隔で配置される。
【００２５】
ＤＣブラシレスモータ１９は、外槽２の後部外面に取り付け固定される。洗たくドラム１１は、円筒部の底側である後端にフランジ１７を有する。フランジ１７に設けた主軸１８は、ＤＣブラシレスモータ１９のロータ側に結合される。こうして、洗たくドラム１１は、外槽２に回転自在に支持される。
【００２６】
シール２０は、外槽２の後部中央に設けられ、主軸１８と外槽２の隙間の水密をする。外槽２は、投入口側がベローズ２１と外蓋１２により、後部側がシール２０により、それぞれ水密が保たれるので、洗濯水や濯ぎ水を貯留できる。
【００２７】
排水電磁弁２２は、外槽２の後下部に設けられ、排水ホース２３が接続される。排水電磁弁２２を開放操作することにより、外槽２に溜まっていた洗濯水や濯ぎ水は、排水ホース２３を通じて排水される。
【００２８】
次に動作について説明する。
【００２９】
洗たくドラム１１は回転軸心を傾斜させているが、投入口側である前端側の外径Ｄを後端側の外径ｄよりも大径にしているので、洗たくドラム１１の円筒部は下側のところではほぼ水平になる割合でＤとｄの径が決められている。
【００３０】
このため、円筒部の下側がほぼ水平でなっているので、洗濯物は洗たくドラム１１の前側から奥側にわたって概ね均一に置かれる。従来の洗たくドラムは、全体に円筒部の下側が後部側に向かって下り勾配になっているので、洗濯物が後部側（奥側）に片寄って偏在する。
【００３１】
本発明の実施例のドラム式洗濯機は、洗濯物が偏在することなく、ドラム１１の前側から奥側にわたって均一に置かれるので、リフター１６により掻き揚げられて落下が繰り替えされる、いわゆる叩き洗いは片寄りなく平均的に行なわれる。洗濯物が偏在する従来に比べ、洗いムラや洗濯物のからみが少なく、全体にわたり洗濯物は良く洗浄される。
【００３２】
洗濯物が洗たくドラム１１の前側から奥側にわたって均一に置かれるので、リフター１６は長手方向にわたって同じ高さにすることができる。リフターの形状を奥の方を高くするような煩わしさがなく、作り易い。
【００３３】
また、洗たくドラム１１の内側体積は、洗濯物９は洗たくドラム１１内で落下する際に、斜め下前方に向かう。すなわち、洗たくドラム１１の内側体積は、後側が狭く、前側が大きい。このため、図１に示すように洗濯やすすぎ時には洗濯物９の動きをベクトル図で示すと、下向方向の力Ｐ１と、前向方向の力Ｐ２を受け、合成された斜め下前方の力Ｐｚの方向に落下する。
【００３４】
これにより、洗濯物９がリフター１６で掻き揚げられる途中で、後側に押し付けられる状態になっても落下する際に前側に移動する力が働くので、円筒部の下側のところでは偏在することなく、均一に置かれる。
【００３５】
また、洗たくドラム１１は、投入口側が外径Ｄと大きく、同じ傾き角度に置かれる従来のものに比べ洗濯物の出し入れが容易である。
【００３６】
また、洗濯物が、ドラム円筒部の下側に位置することが防げるため、洗濯物の片寄りが防止されてアンバランスにならず脱水運転がスムーズに行なわれる。
【００３７】
従来のものは、洗濯物が洗たくドラムの奥側に偏在する傾向がある。偏在して塊りになった洗濯物は大きなアンバランス荷重になるので、脱水起動が繰り返され、脱水運転がスムーズに行なわれない。
【００３８】
このため、本発明の実施例図１のドラム式洗濯機は、洗濯物が偏在することなく、ドラム１１の前側から奥側にわたって均一に置かれるので、洗濯物のアンバランス荷重が従来に比べ小さく、脱水起動が繰り返されることなく、脱水運転がスムーズに行なわれる。
【００３９】
次に図２を基にドラム式洗濯機の運転工程、および乾燥工程について説明する。
【００４０】
この運転工程は洗濯物９に付着していた汚れを落したり、またすすぎによる洗剤分をすすいだり、また洗濯物９に含まれた水分を洗たくドラム１１の回転により遠心力で脱水したり、それらの水分を排水することなどを自動的に行う一般的な自動洗濯コースを示すブロック図である。
【００４１】
先ず、給水電磁弁６の操作により給水２４がされる。洗い２５は洗濯に必要な水が外槽２内に給水されるとＤＣブラシレスモータ１９が回動して洗たくドラム１１が回転する。この時の洗たくドラム１１の回転速度は４０〜５０回転くらいで、休止をおいて右回転、左回転を数分間行い洗濯物９が洗たくドラム１１内リフター１６によりかき上げられながら、叩き洗いにより洗濯される。
【００４２】
洗い２５が終了すると洗いにより洗濯物９付着していた汚れを除去した汚れた洗濯水を洗濯機外に排出する排水２６工程へ移行する。
【００４３】
排水が終了した後、洗濯物９に含まれている洗剤分を脱水する脱水工程２７へ移行する。脱水工程２７では、洗たくドラム１１を高速回転して洗濯物９を遠心力により洗たくドラム１１の内壁に複数個設けられた脱水穴１４より脱水される。
【００４４】
脱水工程２７が終了すると、洗濯物９に含まれた洗剤分をすすぐ、すすぎ工程２８へ移行する。
【００４５】
すすぎ工程２８の運転工程に入る前に、洗い時２５と同じように清水を給水する給水２４工程にて必要な清水を外槽２内に給水される。一般的にすすぎに必要な清水は洗い時と同じく約３０Ｌ程度の給水がされる。
【００４６】
規定量の清水が給水されると、すすぎ２８工程に自動的に進行し、洗い時２５と同じように洗たくドラム１１が低速で反転しながら回転し洗濯物９にふくまれた洗剤分を除去する。
【００４７】
すすぎ終了後の排水−脱水−すすぎ（２）−排水は前述した動作で行われ、最後に洗濯物９に含まれる水分を十分に脱水する最終脱水工程３０へ移行する。
【００４８】
最終脱水工程３０の脱水時間は一般的に５分以上で洗たくドラム１１を高速にて回転させ洗濯物１１の水分を除去するものであり、この時の脱水率は６０〜６５％に至る。
【００４９】
なお、ドラム式洗濯機にヒータ（未図示）などを設けて、洗いから乾燥まで自動的に進行するドラム式洗濯乾燥機の場合などは、最終脱水工程３０が終了した後、自動的に乾燥工程３１へ移行する。
【００５０】
乾燥工程３１では、洗濯物９の水分が十分に除去された後、ヒータ等により温風を洗濯物９に吹き付けながら洗たくドラム１１を約５０回転くらいの速度で反転もしくは一方向に回動させて洗濯物９の水分を除去し乾燥させるものである。
【００５１】
次に図３の回路ブロック図を基にドラム式洗濯機の駆動について説明する。
電源３２はＡＣ１００Ｖ５０／６０Ｈｚに接続され、先ず電源スイッチ３３を投入する。
通電された電源は、電源ラインノイズや空中電波ノイズをカットするフルター回路３４を介在して、ＤＣブラシレスモータ１９の駆動電源である整流回路３５で交流電源から高圧の直流電源に変換し、ＤＣブラシレスモータ駆動回路３６に供給する。
【００５２】
ＤＣインバータ駆動回路３６はＤＣブラシレスモータＵ相３７、Ｖ相３８、Ｗ相３９の各相コイルにマイコン４０の制御指令により電機角１２０度もしくは１８０度で電源を供給するＩＧＰＴ素子回路から構成されており運転制御される。
【００５３】
ＤＣブラシレスモータ１９の回転制御は、複数個の磁石を有したロータ（図省略）の回転により、ＤＣブラシレスモータ１９の外周部に固定して設置されているＩＣホール素子２９からの信号をマイコン４０に取り込み回転数を制御して洗たくドラム１１の回転速度を調整している。
【００５４】
また、洗い時に洗濯物９に付着した汚れや洗剤分を除去するすすぎ時に必要な清水はマイコン４０の指令により、駆動回路部４１に接続された給水電磁弁６に通電されて給水され、また排水時においては、排水電磁弁２２の操作を行い洗濯機外に汚れた水を排水する。
【図面の簡単な説明】
【００５５】
【図１】本発明の実施例に係わるもので、ドラム式洗濯機の縦断面図。
【図２】本発明の実施例に係わるもので、洗濯・乾燥工程のフローを示す図。
【図３】本発明の実施例に係わるもので、駆動回路図。
【符号の説明】
【００５６】
１…外枠、２…外槽、１１…洗たくドラム、１６…リフター。
【図１】
2007111431.tif 000003
【図２】
2007111431.tif 000004
【図３】
2007111431.tif 000005